(57)【要約】      （修正有）【課題】本発明は、パウチ本体の外面に粘着ラベルを貼着した再封性パウチであって、一旦開封して開いた内容物取出し口をパウチ本体の外面と粘着ラベルとの間に挟み込んで再封するパウチにおいて、パウチ本体の外面から粘着ラベルを剥離しやすい再封性パウチを提供すること。【解決手段】粘着ラベル２を粘着シート２１と易剥離性シート２２とで構成し、粘着シート２１に外側に向かって凸の線状スリット２１ｘを設けて、これに囲まれた領域を舌片２１ｂとする。そして、この線状スリット２１ｘを跨いで舌片の内外に渡って易剥離性シート２２を接着し、易剥離性シート２２に線状スリット２２ｘを設けて、線状スリット２２ｘと舌片２１ｂの先端との間を剥離容易とする。そして、舌片がパウチ本体の内容物取出し口に向くようにパウチ本体に貼着する。【選択図】図１
2018002161.tif 000002
【特許請求の範囲】
【請求項１】
端部に内容物取出し口を有するパウチ本体と、このパウチ本体の外面に貼着された粘着ラベルとを備えるパウチにおいて、
前記粘着ラベルが、粘着性を有する粘着シートとその粘着面に部分的に接着した易剥離性シートとで構成されており、
前記粘着シートが外側に向かって凸の線状スリットを有しており、この線状スリットの両端を結ぶ直線と線状スリットとで囲まれた領域を舌片とし、
前記線状スリットを跨いで舌片の内外に渡って前記易剥離性シートが接着されていると共に、前記易剥離性シートには線状スリットが設けられて、この易剥離性シートの線状スリットと舌片の先端との間が剥離容易とされており、
かつ、粘着ラベルの周縁に粘着領域を有しており、
前記舌片がパウチ本体の前記内容物取出し口に向いて配置されている、
ことを特徴とする再封性パウチ。
【発明の詳細な説明】
【技術分野】
【０００１】
本発明は、一旦開封して内容物取出し口を開いた後、再度この内容物取出し口を閉じて、内容物がこぼれることのないパウチに関する。
【背景技術】
【０００２】
このような再封性パウチには、内容物取出し口の近傍にプラスチックパーツやチャックを取り付けて、これらプラスチックパーツやチャックによって開閉自在としたパウチ等が知られている。しかしながら、これらプラスチックパーツやチャックを取り付けたパウチは、その製袋工程や内容物充填工程が複雑でコスト高になったり、あるいはパウチの柔軟性を損なう等の問題がある。
【０００３】
これに対して、特許文献１には、パウチ本体の外面に剥離容易に粘着ラベルを貼着して、開口したパウチ本体を折り曲げて、その内容物取出し口を粘着ラベルとパウチ本体の外面との間に挟み込むことによって再封できるパウチが記載されている。このパウチにおいては、パウチ本体の外面に粘着ラベルを貼着するだけなので、その製袋工程や内容物充填工程も簡単であり、また、パウチの柔軟性を損なうこともない。
【０００４】
このパウチにおいては、内容物取り出し口を挟み込む際には、まず、粘着ラベルをその端部から剥がす必要がある。しかしながら、粘着ラベルはパウチ本体の外面に密着しているため、その剥離が容易ではなかった。
【先行技術文献】
【特許文献】
【０００５】
【特許文献１】実開平６０−９６２４２号公報
【発明の概要】
【発明が解決しようとする課題】
【０００６】
そこで、本発明は、パウチ本体の外面に粘着ラベルを貼着した再封性パウチであって、一旦開封して開いた内容物取出し口をパウチ本体の外面と粘着ラベルとの間に挟み込んで再封するパウチにおいて、パウチ本体の外面から粘着ラベルを剥離しやすい再封性パウチを提供することを目的とする。
【課題を解決するための手段】
【０００７】
すなわち、請求項１に記載の発明は、端部に内容物取出し口を有するパウチ本体と、このパウチ本体の外面に貼着された粘着ラベルとを備えるパウチにおいて、
前記粘着ラベルが、粘着性を有する粘着シートとその粘着面に部分的に接着した易剥離性シートとで構成されており、
前記粘着シートが外側に向かって凸の線状スリットを有しており、この線状スリットの両端を結ぶ直線と線状スリットとで囲まれた領域を舌片とし、
前記線状スリットを跨いで舌片の内外に渡って前記易剥離性シートが接着されていると共に、前記易剥離性シートには線状スリットが設けられて、この易剥離性シートの線状スリットと舌片の先端との間が剥離容易とされており、
かつ、粘着ラベルの周縁に粘着領域を有しており、
前記舌片がパウチ本体の前記内容物取出し口に向いて配置されている、
ことを特徴とする再封性パウチである。
【発明の効果】
【０００８】
この再封性パウチは、粘着シートに設けられた線状スリットの先端から、舌片を剥離することができる。このとき、粘着シートには、その線状スリットを跨いで舌片の内外に渡って前記易剥離性シートが接着されているから、容易に剥離を開始することができる。そして、こうして剥離された舌片の先端には粘着シートの粘着面が露出している。
【０００９】
こうして線状スリットの先端から開始した剥離を継続すると、易剥離性シートの線状スリットに到達し、この線状スリットの後には、易剥離性シートは粘着シートと共にパウチ外面から剥離される。
【００１０】
そして、一旦開封して開いた内容物取出し口をパウチ本体の外面と粘着ラベルとの間に挟み込み、粘着シートの舌片先端の粘着面を内容物取出し口近傍に貼着して固定することにより、パウチを再封することができる。なお、内容物取出し口近傍は舌片先端の粘着面で固定されているに過ぎないから、開封と再封とを何度も繰り返すことが可能である。
【図面の簡単な説明】
【００１１】
【図１】図１は、粘着ラベルの具体例に係り、図１（ａ）はその断面説明図、図１（ｂ）は平面説明図、図１（ｃ）は底面説明図である。
【図２】図２は本発明のパウチの具体例に係り、図２（ａ）はその正面説明図、図２（ｂ）は図２（ａ）のｘ−ｘ線における要部拡大説明図である。
【図３】図３は開封状態の本発明のパウチの具体例の正面説明図である。
【図４】図４は再封状態の本発明のパウチの具体例に係り、図４（ａ）はその正面説明図、図４（ｂ）は図４（ａ）のｘ−ｘ線における要部拡大説明図である。
【図５】図５は本発明のパウチの別の具体例の正面説明図である。
【発明を実施するための形態】
【００１２】
次に、図面を参照して本発明の具体例を説明する。なお、説明の便宜上、まず、本発明に係る粘着ラベルを説明し、次に、この粘着ラベルを貼着したパウチについて説明する。
【００１３】
図１は、粘着ラベルの具体例に係り、図１（ａ）はその断面説明図、図１（ｂ）は平面説明図、図１（ｃ）は底面説明図である。
【００１４】
これらの図から分かるように、粘着ラベル２はその外形が矩形状で、粘着シート２１と易剥離性シート２２とで構成されている。易剥離性シート２２は、粘着シート２１の一部に接着されているが、その接着部位については後述する。
【００１５】
粘着シート２１は、粘着シート基材２１１の片面に粘着剤層２１２を積層したものである。易剥離性シート２２はこの粘着剤層２１２に剥離可能に接着されている。
【００１６】
なお、粘着シート基材２１１としては、任意のプラスチックフィルムを使用することができる。例えば、ポリエステルフィルム、ポリアミドフィルム、ポリエチレンフィルム、ポリプロピレンフィルム、ポリ塩化ビニルフィルム等である。もちろん、これらフィルムの積層体でもよい。また、紙あるいは紙を含む積層体であってもよい。パウチの使用目的や使用環境に応じて、耐水性や開封と再封との繰り返し回数を考慮してその材質を選択すればよい。
【００１７】
また、粘着剤層２１２は、公知の粘着剤を粘着シート基材２１１の全面に塗布して形成することが可能である。粘着剤の材質は、公知の粘着剤の中から、粘着ラベル２を貼着するパウチ本体の材質に応じて、十分な接着強度を有し、かつ、開封と再封との繰り返しに耐える粘着剤を選択して使用すればよい。
【００１８】
易剥離性シート２２としては、粘着剤層２１２に剥離可能に接着できるものであれば任意のシートを使用できる。例えば、紙、樹脂フィルム、あるいはこれらを積層した積層体を基材とし、その片面に離型剤を塗布したシートを使用することができる。離型剤としては、例えば、公知のシリコーン系離型剤を使用することができる。なお、このように離型剤を塗布した易剥離性シートを使用する場合には、その離型剤層が粘着剤層２１２に接するように粘着シート２１に接着することが望ましい。
【００１９】
次に、粘着シート２１には、これを貫通する線状スリット２１ｘが設けられている。この線状スリット２１ｘは、矩形状粘着ラベル２の外側に向かって凸の形状を有している。この例では、図１（ｂ）に図示するように、矩形状粘着ラベル２の角部に向かって凸の形状を有している。
【００２０】
この線状スリット２１ｘによって、粘着シート２１は３つの領域に分けられている。まず、線状スリット２１ｘの外側であって、矩形状粘着ラベル２の外周に位置する外周領域２１ａである。
【００２１】
第２の領域は、線状スリット２１ｘの両端２１ｘ１，２１ｘ２を結ぶ直線２１ｙと線状スリットとで囲まれた領域２１ｂである。なお、線状スリット２１ｘの両端２１ｘ１，２１ｘ２を結ぶ直線２１ｙは仮想的な線であるが、図１（ｂ）においては点線で示している。そして、この第２の領域２１ｂは、パウチ本体の内容物取出し口を挟み込む役割を有している。このため、この領域を「舌片」と呼ぶ。
【００２２】
次に、第３の領域は、直線２１ｙと外周領域２１ａとの間に位置する領域２１ｃである。
【００２３】
次に、前記易剥離性シート２２は、線状スリット２１ｘを跨いで外周領域２１ａの一部と舌片２１ｂとに渡って接着されている。
【００２４】
また、易剥離性シート２２にも、これを貫通する線状スリット２２ｘが設けられている。この線状スリット２２ｘは、舌片２１ｂの内部に位置している必要がある。また、この線状スリット２２ｘは矩形状粘着ラベル２の外側に向かって凸の形状を有していることが望ましい。この例では、易剥離性シート２２の線状スリット２２ｘは粘着シート２１の線状スリット２１ｘと略相似形で、これら線状スリット２２ｘと線状スリット２１ｘとは、いずれも、矩形状粘着ラベル２の角部に向かって凸の形状を有している。なお、図１（ｂ）では、線状スリット２２ｘと線状スリット２１ｘとの位置関係を示すため、易剥離性シート２２の線状スリット２２ｘを破線で示している。
【００２５】
そして、この易剥離性シート２２を貼着した領域と線状スリット２２ｘ及び線状スリット２１ｘによって、粘着ラベル２の底面は３つの領域に区分されている。
【００２６】
まず、第１の領域は、粘着シート２１の外周領域２１ａの周縁に位置する領域で、易剥離性シート２２が存在しない領域２１ｄである。このため、この領域２１ｄは粘着剤層２１２が露出した粘着領域となっている。この粘着領域２１ｄは、粘着ラベル２をパウチ本体の外面に接着して固定する役割を有している。なお、図中、２２ｙは易剥離性シート２２の端部を示しており、この領域２１ｄに囲まれた領域２２ａ，２２ｂには易剥離性シート２２が存在するため、パウチ本体の外面には接着しない。
【００２７】
次に、第２の領域は、粘着領域２１ｄに囲まれた領域のうち、易剥離性シート２２の線状スリット２２ｘの凸部側に位置する領域２２ａである。この領域では、易剥離性シート２２が粘着剤層２１２に剥離容易に接着しており、しかも、この領域２２ａには、粘着シ
ート２１の線状スリット２１ｘが位置している。このため、線状スリット２１ｘから粘着シート２１の剥離を開始する際には、粘着シート２１の舌片２１ｂを容易に剥離することができる。なお、前述のように、この領域２２ａはパウチ本体の外面には接着しない領域である。
【００２８】
次に、第３の領域は、粘着領域２１ｄに囲まれた領域のうち、易剥離性シート２２の線状スリット２２ｘの凸部の反対側に位置する領域２２ｂである。この領域２２ｂでは、易剥離性シート２２が粘着剤層２１２に接着している。この領域のうち領域２１（前記線状スリット２１ｘの両端２１ｘ１，２１ｘ２を結ぶ直線２１ｙと線状スリットとで囲まれた領域）に対応した部位では、粘着シート２１の舌片２１ｂを剥離したとき、易剥離性シート２２は粘着シート２１と共にパウチ本体から剥離される。そして、剥離されなかった部位はパウチ本体の外面には接着していないから、舌片２１ｂを剥離したとき、この部位は、パウチ本体と易剥離性シート２２との間で、粘着領域２１ｄに囲まれた袋状の部分を構成する。
【００２９】
次に、本発明のパウチを説明する。図２は本発明のパウチの具体例に係り、図２（ａ）はその正面説明図、図２（ｂ）は図２（ａ）のｘ−ｘ線における要部拡大説明図である。
【００３０】
前述のように、本発明のパウチ１００は、パウチ本体１の外面に粘着ラベル２を貼着して構成されたものである。パウチ本体１は任意の袋でよいが、内容物取出し口を端部に有するものである必要がある。この例は、表裏のフィルム１１，１２を周囲でヒートシールすることにより製袋された矩形状の袋で、上部の角に開封線１ｘを有し、この開封線１ｘで表裏のフィルム１１，１２を切断することにより内容物取出し口１ｙを形成することができる。すなわち、このパウチ本体１は、角部に内容物取出し口１ｙを有する袋である。
【００３１】
そして、粘着ラベル２は、舌片２１ｂがパウチ本体１の内容物取出し口に向くように貼着する必要がある。すなわち、凸の形状の線状スリット２１ｘの凸部が開封線１ｘを向くように配置される。
【００３２】
なお、粘着ラベル２は粘着剤層２１２が露出した前記粘着領域２１ｄで接着する。易剥離性シート２２が配置された領域２２ａ，２２ｂでは、粘着ラベル２はパウチ本体１に接着せず、自由な状態である。
【００３３】
また、粘着ラベル２は、表側フィルム１１と裏側フィルム１２のいずれか一方に貼着すればよく、両面に貼着する必要はない。
【００３４】
このパウチ１００は、開封線１ｘで表裏のフィルム１１，１２を切断して内容物取出し口１ｙを形成する（図３参照）。こうして開いた内容物取出し口１ｙから内容物を取り出すことができる。
【００３５】
こうして開いたパウチ１００は、図４に示すように再封することができる。すなわち、まず、粘着ラベル２の舌片２１ｂを、パウチ本体１から部分的に剥離する。この剥離は、粘着シート２１の線状スリット２１ｘに位置する舌片２１ｂの先端を持って引き上げることにより開始することができる。線状スリット２１ｘは、易剥離性シート２２の領域２２ａの上に位置しているから、ここに位置する舌片２１ｂ先端の剥離は容易である。なお、こうして剥離された舌片２１ｂの先端には、粘着剤層２１２が露出している。
【００３６】
次に、この剥離の進行に伴って舌片２１ｂはパウチ本体１から立ち上がり、易剥離性シート２２の線状スリット２２ｘに到達する。そして、この線状スリット２２ｘの位置で易剥離性シート２２が切断され、易剥離性シート２２の領域２２ｂは、舌片２１ｂと共にパウチ本体１から立ち上がる。易剥離性シート２２の領域２２ｂはパウチ本体１に接着しておらず、自由な状態にある。したがって、この剥離は、線状スリット２１ｘに沿って易剥離性シート２２の領域２２ａから舌片２１ｂが剥離することによって進行するから、この剥離の進行も容易である。
【００３７】
なお、この剥離は、線状スリット２１ｘの両端２１ｘ１，２１ｘ２まで行うことができるが、必ずしもここまで剥離する必要はない。剥離を前記両端２１ｘ１，２１ｘ２まで行った場合でも、あるいはその手前で停止した場合でも、易剥離性シート２２の領域２２ｂはパウチ本体１に接着しておらず、自由な状態にあるから、パウチ本体１と粘着ラベル２との間で、この領域２２ｂを収容部とする袋状の部分が形成される。
【００３８】
次に、パウチ本体１を内容物取出し口１ｙの近傍で折り曲げた後、内容物取出し口１ｙを、立ち上がった舌片２１ｂとパウチ本体１との間に差し込む。舌片２１ｂの先端には粘着剤層２１２が露出しているから、この露出した粘着剤層２１２によって舌片２１ｂをパウチ本体１の内容物取出し口１ｙ近傍に接着することができる。そしてこのように舌片２１ｂを内容物取出し口１ｙ近傍に接着することにより、内容物取出し口１ｙを固定して、不用意な開封を防ぐことができる。
【００３９】
なお、図示のように内容物取出し口１ｙが下方を向くように折り曲げた場合には、内容物取出し口１ｙの近傍に残存する内容物が内容物取出し口１ｙから排出されることがあるが、こうして排出された内容物はパウチ本体１と粘着ラベル２の舌片２１ｂとの間の前記袋状部分に収容されて、外部にこぼれることを防止できる。
【００４０】
以上、上部の角に内容物取出し口を有するパウチ本体１を例として説明したが、もちろん、これに限られない。図５は、上辺に開封線１ｘを有するパウチ本体１を使用した例を示すものである。この場合でも、舌片２１ｂがパウチ本体の開封線１ｘに向くように粘着ラベル２を貼着する必要がある。
【００４１】
また、パウチ本体１は、四方シール袋や、三方シール袋、スタンディングパウチ等、任意の形態の袋であってよい。
【００４２】
これらパウチ本体１を構成する表裏のフィルム１１，１２としては、プラスチックフィルム又はプラスチックフィルムを含む積層体を好適に使用することができる。例えば、ポリエステルフィルム、ポリアミドフィルム、ポリエチレンフィルム、ポリプロピレンフィルム、あるいはこれらの積層体である。また、その層構成中に、金属箔や金属蒸着層、あるいは、酸化アルミニウム蒸着層等の無機蒸着層を有するものであってもよい。また、紙を表裏のフィルム１１，１２とする袋であってもよい。
【００４３】
また、これらパウチ本体１に内蔵する内容物も任意であるが、その全量を一度に使い切るものではなく、その一部を消費し、残部をパウチ本体１の内部に保存するものが好適である。例えば、粉末状の内容物、粒状の内容物、液体状の内容物等である。
【符号の説明】
【００４４】
１００，１００’：再封性パウチ
１：パウチ本体
１１：表側フィルム    １２：裏側フィルム
１ｘ：開封線    １ｙ：内容物取出し口
２：粘着ラベル
２１：粘着シート    ２１１：粘着シート基材    ２１２：粘着剤層
２１ｘ：線状スリット    ２１ｘ１，２１ｘ２：線状スリットの両端    ２１ｙ：線状
スリットの両端２１ｘ１，２１ｘ２を結ぶ直線
２１ａ：外周領域    ２１ｂ：舌片    ２１ｃ：直線２１ｙと外周領域２１ａとの間に位置する領域    ２１ｄ：粘着領域
２２：易剥離性シート
２２ｘ：線状スリット    ２２ｙ：易剥離性シートの端部
２２ａ：粘着領域２１ｄに囲まれた領域のうち、線状スリット２２ｘの凸部側に位置する領域
２２ｂ：粘着領域２１ｄに囲まれた領域のうち、線状スリット２２ｘの凸部の反対側に位置する領域
【図１】
2018002161.tif 000003
【図２】
2018002161.tif 000004
【図３】
2018002161.tif 000005
【図４】
2018002161.tif 000006
【図５】
2018002161.tif 000007